(57)【要約】【課題】洗浄槽の開口部と扉体のシール性が安定して高く、且つ扉体の操作性も高い食器洗い機を提供する。【解決手段】本体１の前面部２０の上部及び側部に設けられるシール部材１１は、第１のシール部１１ａと、これに一体で形成され洗浄槽２に対し内側に傾斜させた第２のシール部１１ｂを含む舌部とを備え、第１のシール部１１ａは、断面形状を前方半円状部の曲率が後方半円状部の曲率より小さい中空の略卵形であるもので、扉体６を閉塞するための力を減少させ、さらに２重シールを容易かつ安定して行うことが可能で、且つシール部材１１の劣化を抑制した高品質な食器洗い機を提供することができる。【選択図】図３
2011182852.tif 000002
【特許請求の範囲】
【請求項１】
洗浄水を噴射して被洗浄物を洗浄する食器洗い機であって、被洗浄物を収納する洗浄槽を内部に備え、被洗浄物を出し入れするための開口部を前面部に有する本体と、洗浄水を前記洗浄槽内に噴射する洗浄ノズルと、前記前面部の上部及び側部に設けられるシール部材と、前記開口部を開閉し前記シール部材と当接する当接部を有する扉体と、を有し、前記シール部材は、第１のシール部と前記第１のシール部に一体で形成され、前記洗浄槽内側に傾斜させた第２のシール部を含む舌部とを有し、前記第１のシール部の断面形状は、前方半円状部の曲率が後方半円状部の曲率より小さい中空の略卵形である食器洗い機。
【請求項２】
前記扉体が前記開口部を閉塞する際に、前記第２のシール部を含む舌部は、前記第１のシール部が前記当接部に押圧されるより前に、前記当接部および前記当接部側方と接触しないよう構成した請求項１に記載の食器洗い機。
【請求項３】
前記第１のシール部は、断面形状を略円形、略楕円形、略卵形、略半円形等の前方半円状部を有する形状とし、前記前方半円状部の頂点部を前記当接部の当接部端より洗浄槽内側に設けた請求項１又は２に記載の食器洗い機。
【発明の詳細な説明】
【技術分野】
【０００１】
本発明は、食器等を洗浄する食器洗い機に関するもので、特に食器洗い機のシール構成に関するものである。
【背景技術】
【０００２】
従来のこの種の食器洗い機は、図６及び図７に示すように構成されている（例えば、特許文献１参照）。
【０００３】
以下、その構成について説明する。食器洗い機は、食器等の被洗浄物を洗浄槽１０１に収納し、洗浄槽１０１に設けた前面開口部１０２を、扉体１０３により閉塞してから、洗浄ポンプ１０４を運転し、洗浄ポンプ１０４によって加圧された洗浄水を洗浄ノズル１０５から噴射することにより、被洗浄物の洗浄およびすすぎを行うようになっている。前面開口部１０２には弾性体（例えばゴム）で形成されたシール部材１０６が設けられている。シール部材１０６は第１のシール部１０６ａと第２のシール部１０６ｂとで構成されており、扉体１０３に設けられた当接部１０７と第１のシール部１０６ａと第２のシール部１０６ｂが２重で圧接することにより前面開口部１０２と扉体１０３の間において高いシール性を実現している。
【先行技術文献】
【特許文献】
【０００４】
【特許文献１】特開平０６−１５４１４６号公報
【発明の概要】
【発明が解決しようとする課題】
【０００５】
しかしながら、上記従来の食器洗い機では、扉体１０３を閉塞するときに当接部１０７と第２のシール部１０６ｂが擦れるため、このとき発生する摩擦力により扉体１０３の閉塞動作が重たくなる上に、第２のシール部１０６ｂが毎回当接部１０７に擦れるためすぐに劣化してしまい、第２のシール部１０６ｂでの水密性が著しく低下してしまう、という課題を有していた。
【０００６】
本発明は、上記従来の課題を解決するもので、第１のシール部と第２のシール部による２重シールをより確実に安定して行う構成とすることで高いシール性を実現できる食器洗い機を提供することを目的とする。
【課題を解決するための手段】
【０００７】
本発明は上記目的を達成するために、洗浄水を噴射して被洗浄物を洗浄する食器洗い機であって、被洗浄物を収納する洗浄槽を内部に備え、被洗浄物を出し入れするための開口部を前面部に有する本体と、洗浄水を洗浄槽内に噴射する洗浄ノズルと、前面部の上部及び側部に設けられるシール部材と、開口部を開閉しシール部材と当接する当接部を有する扉体と、を有し、シール部材は、第１のシール部と前記第１のシール部に一体で形成され、洗浄槽内側に傾斜させた第２のシール部を含む舌部とを有し、第１のシール部の断面形状は、前方半円状部の曲率が後方半円状部の曲率より小さい中空の略卵形である。
【０００８】
この構成により、扉体の閉成時に、第２のシール部によるシールは第１のシール部の変形動作により行われ、第１のシール部を変形させるのに必要な扉体への操作力だけで、第１のシール部と第２のシール部による２重シールをより確実に安定して行うことを実現したものであり、操作性とシール性を両立し、さらに第２のシール部の劣化を著しく抑制し
た高品質な食器洗い機を実現できる。また、扉体閉成時の操作力の軽減を実現できるとともに、当接部と接触する第１のシール部の前方を相対的にＲを大きくし当接部との接触を安定確実にし、第１のシール部の横滑りによる変形動作不良を防止し、所定の変形動作を確実に実現することが可能であり、高いシール性を実現できる。
【発明の効果】
【０００９】
以上のように本発明によれば、扉体を閉塞するための力を減少させて２重シールを容易かつ安定して行うことが可能で、且つシール部材の劣化を抑制することができるとともに、当接部と接触する第１のシール部の前方を相対的にＲを大きくし当接部との接触を安定確実にし、第１のシール部の横滑りによる変形動作不良を防止し、所定の変形動作を確実に実現することが可能であり、高いシール性を実現する食器洗い機を提供することができる。
【図面の簡単な説明】
【００１０】
【図１】本発明の第１の実施の形態における食器洗い機の扉体開成時の斜視図
【図２】同食器洗い機の側面縦断面図
【図３】（ａ）扉体の当接部が第１のシール部に当接する直前の、同食器洗い機の図１中のＡ−Ａ断面図、（ｂ）扉体の当接部が第１のシール部に押圧している時の、同食器洗い機の図１中のＡ−Ａ断面図
【図４】（ａ）扉体の当接部が第１のシール部に当接する直前の、同食器洗い機の図１中のＢ−Ｂ断面図、（ｂ）扉体の当接部が第１のシール部に当接する時の、同食器洗い機の図１中のＢ−Ｂ断面図、（ｃ）扉体の当接部が第１のシール部に押圧している時の、同食器洗い機の図１中のＢ−Ｂ断面図
【図５】（ａ）シール部材の拡大断面図、（ｂ）第１のシール部の前部の拡大断面図、（ｃ）第１のシール部の後部の拡大断面図
【図６】従来の食器洗い機の側面縦断面図
【図７】従来の食器洗い機のシール部詳細図
【発明を実施するための形態】
【００１１】
第１の発明は、洗浄水を噴射して被洗浄物を洗浄する食器洗い機であって、被洗浄物を収納する洗浄槽を内部に備え、被洗浄物を出し入れするための開口部を前面部に有する本体と、洗浄水を洗浄槽内に噴射する洗浄ノズルと、前面部の上部及び側部に設けられるシール部材と、開口部を開閉しシール部材と当接する当接部を有する扉体と、を有し、シール部材は、第１のシール部と前記第１のシール部に一体で形成され、洗浄槽内側に傾斜させた第２のシール部を含む舌部とを有し、第１のシール部の断面形状は、前方半円状部の曲率が後方半円状部の曲率より小さい中空の略卵形である食器洗い機である。
【００１２】
この構成により、扉体の閉成時に、第２のシール部によるシールは第１のシール部の変形動作により行われるため、第１のシール部を変形させるのに必要な扉体への操作力だけで、第１のシール部と第２のシール部による２重シールを容易且つ安定して行うことを実現したものであり、操作性とシール性を両立し、さらに第２のシール部の劣化を著しく抑制した高品質な食器洗い機を実現できる。また、当接部と接触する第１のシール部の前方を相対的にＲを大きく滑らかにし当接部との接触を安定確実にし、第１のシール部の横滑りによる変形動作不良を防止し、所定の変形動作を確実に実現することが可能であり、高いシール性を実現できる。
【００１３】
第２の発明は、上記第１の発明において、扉体が開口部を閉塞する際に、第２のシール部を含む舌部は、第１のシール部が当接部に押圧されるより前に、当接部および当接部側方と接触しないよう構成したものであり、第１のシール部が当接部に押圧されるまでの扉体の閉塞動作に要する力をさらに低減でき、また、第２のシール部の劣化をさらに著しく
抑制することができる。
【００１４】
第３の発明は、上記第１又は第２の発明において、第１のシール部は、断面形状を略円形、略楕円形、略卵形、略半円形等の前方半円状部を有する形状とし、前方半円状部の頂点部を前記当接部の当接部端より洗浄槽内側に設けたことにより、当接部との接触をさらに安定確実にし、第１のシール部の横滑りによる変形動作不良を防止し、所定の変形動作を確実に実現することが可能であり、高いシール性を実現できる。
【００１５】
（実施の形態１）
図１〜図４は、本発明の第１の実施の形態における食器洗い機の各図を示している。
【００１６】
洗浄水を噴射して食器３などの被洗浄物を洗浄する食器洗い機は、本体１内部に洗浄槽２が設けられている。また、本体１は前面部２０に食器３などを出し入れするための開口部５を有している。洗浄槽２の内部には、食器３などの被洗浄物をセットする食器かご４が開口部５から出し入れ可能に収納されている。食器かご４は、洗浄槽２の下部に配置された下食器かご４ａと洗浄槽２の上部に配置された上食器かご４ｂとで構成されている。なお、図１においては、下食器かご４ａおよび上食器かご４ｂの図示を省略してある。
【００１７】
開口部５は、扉体６により開閉されるよう構成されている。扉体６は、下扉体６ａと上扉体６ｂとで構成されている。下扉体６ａは、開口部５下端部で下支持軸７ａにより回転自在に軸支され、開口部５の前下方にその内面が上向き略水平となる位置まで開成する。上扉体６ｂは、洗浄槽２の側壁で上支持軸７ｂにより回転自在に軸支され、本体１上面に被さるように開成する。
【００１８】
洗浄槽２内の下部には、主に下食器かご４ａにセットされた食器３に洗浄水を噴射して洗浄する下回転洗浄ノズル８ａが設けられている。洗浄槽２内の上部には、主に上食器かご４ｂにセットされた食器３に洗浄水を噴射して洗浄する上洗浄ノズル８ｂが設けられている。また、洗浄槽２下方には、下回転洗浄ノズル８ａと上洗浄ノズル８ｂへ洗浄水を供給する洗浄ポンプ９が配置されている。なお、図１においては、上洗浄ノズル８ｂの図示を省略してある。
【００１９】
前面部２０に設けた開口部５の周囲の上部及び左右側部には、弾性体（例えばシリコンゴム）で形成されたシール部材１１が洗浄槽２の内側壁１０に沿うように設けられている。シール部材１１は、第１のシール部１１ａと第２のシール部１１ｂを含む舌部とを有している。図５に示すように、第１のシール部１１ａは、断面形状が中空の略卵形である。すなわち、前方半円状部１４ａのＲ（曲率）を後方半円状部１４ｂのＲ（曲率）より小さく形成している。第２のシール部１１ｂは、第１のシール部１１ａの外周の前方外寄りに突出して設けられ、第１のシール部１１ａの略卵形断面の中心より洗浄槽２の内側壁１０側に設けられた、洗浄槽内側に傾斜させたリップ形状であり、第１のシール部１１ａに一体で形成される舌部の主要部を構成している。なお、シール部材１１は長手方向で分割されることなく、逆Ｕ字状に連続的に一体で形成されている。
【００２０】
下扉体６ａの左右の側辺には、扉体６閉成状態で第１のシール部１１ａの洗浄槽２内方を所定の締め代で圧接する下扉当接部１２ａが設けられている。下扉当接部１２ａの洗浄槽２内方には、下扉防水リブ１２ｂが扉体６閉成状態で第１のシール部１１ａを内側から完全に覆うよう構成されている。なお、下扉防水リブ１２ｂは、下扉体６ａの開閉動作で第１のシール部１１ａと当接することのないように、扉体６の閉成状態で第１のシール部１１ａに対して所定の隙間を有するように形成されている。
【００２１】
上扉体６ｂの上辺には、扉体６閉成状態で第１のシール部１１ａの洗浄槽２外方（前方
）を所定の締め代で圧接する上扉上辺当接部１３ａが設けられている。上扉体６ｂの左右の側辺には下扉体６ａと同様に、扉体６閉成状態で第１のシール部１１ａの洗浄槽２内方を所定の締め代で圧接する上扉当接部１３ｂが設けられている。上扉当接部１３ｂの洗浄槽２内方には、上扉防水リブ１３ｃが扉体６閉成状態で第１のシール部１１ａを内側から完全に覆うよう構成されている。なお、上扉防水リブ１３ｃは、上扉体６ｂの開閉動作で第１のシール部１１ａと当接することのないように、扉体６の閉成状態で第１のシール部１１ａに対して所定の隙間を有するように形成されている。
【００２２】
開口部５の上コーナー部（図１中のＺ部）では、上扉体６ｂのシール面はねじれ曲面となっており、第１のシール部１１ａの筒形状への圧接方向は、本体１の前後方向（上扉体６ｂの側辺の圧接）から、本体１の上下方向（上扉体６ｂの上辺の圧接）に徐々に変化する。上扉防水リブ１３ｃは上コーナー部で徐々に高さが低くなり、コーナー略中央部でなくなる。
【００２３】
以上のように構成された食器洗い機についてその動作、作用を説明する。
【００２４】
食器３のセットは、下扉体６ａ、上扉体６ｂを開放し、下食器かご４ａ、上食器かご４ｂを引き出してから行う。食器３のセット完了後、下食器かご４ａ、上食器かご４ｂを洗浄槽２内に押し入れて、下扉体６ａ、上扉体６ｂで開口部５を閉塞する。その後、使用者の希望する洗浄コースを選択して洗浄を開始するが、洗浄、すすぎ、乾燥の一連の動作、作用については、一般的な食器洗い機と同様であるので、説明は省略し、以下、本発明が関連する扉体およびシール構成の動作、作用について詳しく説明する。
【００２５】
下扉体６ａおよび上扉体６ｂが開口部５を閉塞する時、下扉当接部１２ａ、上扉上辺当接部１３ａ、上扉当接部１３ｂに当接、押圧されることによって第１のシール部１１ａが変形して、開口部５と扉体６（下扉体６ａ、上扉体６ｂ）との間の１段目のシールが機能し、さらに、この第１のシール部１１ａの変形に連動して第２のシール部１１ｂが変形することによって、開口部５と扉体６（下扉体６ａ、上扉体６ｂ）との間の２段目のシールが機能する。
【００２６】
扉体６が開口部５を閉塞する際の、扉体６の各当接部１２ａ、１３ａ、１３ｂが第１のシール部１１ａに当接する直前から、当接、押圧を経て扉体６が完全に閉成するまでの動作、作用について、図３および図４を参照しながら説明する。
【００２７】
まず、扉体６の閉塞動作に伴う下扉体６ａおよび上扉体６ｂの左右側辺での動作、作用について図３を用いて説明する。下扉体６ａおよび上扉体６ｂが開成状態から閉塞されてくると、図３（ａ）に示す、洗浄槽２の左右の側辺部に配設されたシール部材１１の第１のシール部１１ａに当接する直前の状態となる。この状態においては、下扉体６ａの下扉当接部１２ａも上扉体６ｂの上扉当接部１３ｂも、シール部材１１より前方に位置し、第１のシール部１１ａにも第２のシール部１１ｂにも接触していない。
【００２８】
この状態から、さらに扉体６が閉塞動作を続けると、下扉当接部１２ａ、上扉当接部１３ｂが第１のシール部１１ａの前方半円状部１４ａに当接する。この当接は、第１のシール部１１ａの略卵形形状の前方半円状部１４ａの頂点部１４ｃを下扉当接部１２ａ、上扉当接部１３ｂの当接部端１２ｄ、１３ｅより洗浄槽内側に設けたことにより、前方半円状部１４ａの頂点部１４ｃより洗浄槽外側において行われ、以降の第１のシール部１１ａの押圧、変形が横滑りによる変形動作不良を起こすことなく、安定して行われる。
【００２９】
この当接状態に移行する途中において、第２のシール部１１ｂが下扉当接部１２ａ、上扉当接部１３ｂの外側にほぼ直交かつ連続させてそれぞれ形成した下扉当接部側面１２ｃ
（当接部側方）、上扉当接部側面１３ｄ（当接部側方）に接触しないように、第２のシール部１１ｂは第１のシール部１１ａの外周の前方外寄りに突出して設け、さらに、下扉当接部１２ａ、上扉当接部１３ｂ、下扉当接部側面１２ｃおよび上扉当接部側面１３ｄは第２のシール部１１ｂに一切接触することなく、第２のシール部１１ｂの内側をすり抜けて洗浄槽２の方向に移動していく構成としてある。
【００３０】
さらに下扉体６ａおよび上扉体６ｂが閉塞方向に移動すると、第１のシール部１１ａの前方半円状部１４ａが下扉当接部１２ａ、上扉当接部１３ｂによって押圧されて変形し、この第１のシール部１１ａの変形によって第２のシール部１１ｂが内側に移動するように変形して下扉当接部側面１２ｃ、上扉当接部側面１３ｄに当接し、さらに下扉体６ａおよび上扉体６ｂの洗浄槽２方向への移動によって第２のシール部１１ｂも内側に押圧、変形され、下扉体６ａおよび上扉体６ｂの閉成状態では、図３（ｂ）に示すように、第１のシール部１１ａによって開口部５と下扉体６ａおよび上扉体６ｂとの間の１段目のシールが、さらに、第２のシール部１１ｂによって２段目のシールが、それぞれ構成され、洗浄中に洗浄水が前方に飛び出すことを防止している。
【００３１】
次に、扉体６の閉塞動作に伴う上扉体６ｂの上辺での動作、作用について図４を用いて説明する。本体１の上方に開成していた上扉体６ｂは前方に移動しつつ下降し、図４（ａ）に示す、洗浄槽２の上辺部に配設されたシール部材１１の第１のシール部１１ａに当接する直前の状態となる。この状態においては、上扉体６ｂの上扉上辺当接部１３ａは、シール部材１１の上方に位置し、第１のシール部１１ａにも第２のシール部１１ｂにも接触していない。
【００３２】
この状態から、さらに上扉体６ｂが前方下方に閉塞動作を続け、図４（ｂ）に示す、上扉上辺当接部１３ａが第１のシール部１１ａの上側面の卵形の中心上もしくは中心よりやや前方に当接する。この状態では、第２のシール部１１ｂは上扉上辺当接部１３ａに接触させないように構成してある。さらに、図４（ａ）の状態から図４（ｂ）の状態に移行する途中において、上扉体６ｂは第２のシール部１１ｂに一切接触することなく、第２のシール部１１ｂの前方をすり抜けて下降していくように、シール部材１１の形状寸法、上扉体６ｂの形状寸法および上扉体６ｂの開閉機構を構成してある。
【００３３】
図４（ｂ）に示す状態からさらに上扉体６ｂが閉塞方向に移動すると、第１のシール部１１ａの前方半円状部１４ａが上扉上辺当接部１３ａによって押圧されて変形し、この第１のシール部１１ａの変形によって第２のシール部１１ｂが上方に移動するように変形して上扉上辺当接部１３ａに当接し、さらに上扉体６ｂの下降によって第２のシール部１１ｂも上扉上辺当接部１３ａによって下方に押圧、変形され、上扉体６ｂの閉成状態では、図４（ｃ）に示すように、第１のシール部１１ａによって開口部５と上扉体６ｂの間の１段目のシールが、さらに、第２のシール部１１ｂによって、２段目のシールが、それぞれ構成され、洗浄中に洗浄水が前方に飛び出すことを防止している。
【００３４】
下扉体６ａおよび上扉体６ｂが開口部５を閉塞する時、下扉当接部１２ａ、上扉上辺当接部１３ａ、上扉当接部１３ｂによって第１のシール部１１ａを所定量圧接変形させる必要があるが、第１のシール部１１ａは弾性体で、且つ中空形状で前記の通り前方半円状部１４ａのＲ（曲率）を後方半円状部１４ｂのＲ（曲率）より小さく形成したので、より小さな力で変形させることが可能であり、下扉体６ａ、上扉体６ｂを閉塞するのに大きな力を必要とせず閉塞の操作性が高い。
【００３５】
また、扉体６閉塞の際、下扉当接部１２ａと上扉当接部１３ｂが第１のシール部１１ａの洗浄槽２内方を圧縮することで、第１のシール部１１ａは第２のシール部１１ｂが内側に倒れるように変形する。その結果、扉体６の閉成状態で、第２のシール部１１ｂが下扉
当接部１２ａと上扉当接部１３ｂの外側面である下扉当接部側面１２ｃ、上扉当接部側面１３ｄと当接する。この際、洗浄槽内側に傾斜させて設けた第２のシール部１１ｂは下扉当接部側面１２ｃ、上扉当接部側面１３ｄの方を向いてさらに押圧されるため２段目のシールとして安定確実に機能し、第１のシール部１１ａの変形による１段目のシールとともに容易且つ安定した２重シールを実現できる。これにより、第１のシール部１１ａのシールが不完全な状態で運転しても、第２のシール部１１ｂのみでシールすることが可能であり、高いシール性を実現できる。
【００３６】
上記と同様に、上扉体６ｂの上辺においても、扉体６閉塞の際、上扉上辺当接部１３ａが第１のシール部１１ａの洗浄槽２外方（前方）を圧縮することで、第１のシール部１１ａは第２のシール部１１ｂが上方に跳ね上がるように変形する。その結果、扉体６の閉成状態で、第２のシール部１１ｂが上扉上辺当接部１３ａと当接する。この際、第２のシール部１１ｂは上扉上辺当接部１３ａの方を向いて押圧されているため２段目のシールとして機能し、上扉体６ｂの上辺においても、第１のシール部１１ａの変形による１段目のシールとともに容易且つ安定した２重シールを実現できる。これにより、第１のシール部１１ａのシールが不完全な状態で運転しても、第２のシール部１１ｂのみでシールすることが可能であり、高いシール性を実現できる。
【００３７】
また、第１のシール部１１ａを、前方半円状部１４ａのＲ（曲率）を後方半円状部１４ｂのＲ（曲率）より小さい略卵形としたことにより、下扉当接部１２ａ、上扉当接部１３ｂが当接する第１のシール部１１ａの前方を相対的にＲを大きく滑らかにし下扉当接部１２ａ、上扉当接部１３ｂとの当接を安定確実にし、第１のシール部１１ａの横滑りによる変形動作不良を防止し、所定の変形動作を確実に実現することが可能であり、高いシール性を実現できる。
【００３８】
さらに、第１のシール部１１ａを前方半円状部１４ａのＲを大きい略卵形に構成し、且つ前方半円状部１４ａの頂点部１４ｃを下扉当接部１２ａ、上扉当接部１３ｂの当接部端１２ｄ、１３ｅより洗浄槽内側に位置させる構成としたことにより、扉体６閉塞の際、下扉当接部１２ａと上扉当接部１３ｂが第１のシール部１１ａが当接し、押圧する際に横滑りすることがなく、所定の変形動作を実現できるので、２重シールを容易且つさらに安定して実現できる。なお、この前方半円状部の頂点部を各当接部の当接部端より洗浄槽内側に位置させる構成による効果は、第１のシール部の断面形状が本実施の形態の略卵形に限定されるものではなく、前方半円状部を有する形状であればよく、例えば略円形や略楕円形や略半円形とした場合でも達成されるものである。
【００３９】
さらに、下扉当接部１２ａ、上扉上辺当接部１３ａ、上扉当接部１３ｂと第１のシール部１１ａが当接する状態に移行する途中において、上記各当接部および前記当接部側面が第２のシール部１１ｂに一切接触することなく、第２のシール部１１ｂの内側あるいは前方をすり抜けて移動していく構成としてあるので、扉体６の閉塞動作開始から上記各当接部と第１のシール部１１ａが当接するまでの間に第２のシール部１１ｂが擦れることがなく、第２のシール部１１ｂの劣化を著しく抑制することができる。
【産業上の利用可能性】
【００４０】
以上のように、本発明にかかる食器洗い機は、洗浄槽の開口部と扉体のシール性が高い高品質な食器洗い機であり、且つ扉体の操作性の高い食器洗い機であり、卓上型食器洗い機に限らずビルトイン・業務用の食器洗い機に適用できる。
【符号の説明】
【００４１】
１  本体
２  洗浄槽
３  食器（被洗浄物）
５  開口部
６  扉体
６ａ  下扉体
６ｂ  上扉体
８ａ  下回転洗浄ノズル（洗浄ノズル）
８ｂ  上洗浄ノズル（洗浄ノズル）
１１  シール部材
１１ａ  第１のシール部
１１ｂ  第２のシール部
１２ａ  下扉当接部（当接部）
１２ｃ  下扉当接部側面（当接部側方）
１２ｄ  当接部端
１３ａ  上扉上辺当接部（当接部）
１３ｂ  上扉当接部（当接部）
１３ｄ  上扉当接部側面（当接部側方）
１３ｅ  当接部端
１４ａ  前方半円状部
１４ｂ  後方半円状部
１４ｃ  頂点部
２０  前面部
【図１】
2011182852.tif 000003
【図２】
2011182852.tif 000004
【図６】
2011182852.tif 000005
【図７】
2011182852.tif 000006
【図３】
2011182852.tif 000007
【図４】
2011182852.tif 000008
【図５】
2011182852.tif 000009